【手続補正書】
【提出日】平成22年11月24日(2010.11.24)
【手続補正１】
【補正対象書類名】特許請求の範囲
【補正対象項目名】全文
【補正方法】変更
【補正の内容】
【特許請求の範囲】
【請求項１】
記録媒体に画像を形成する電子写真画像形成装置であって、
（ａ）カートリッジを画像形成位置である装着部まで案内する、前記カートリッジを前記電子写真画像形成装置の装置本体に装着する装着方向において前記装置本体の上方から下方に向って傾斜した本体ガイドであって、前記装着方向において上流側に設けられた上流側ガイドと、前記装着方向において下流側に設けられた、前記上流側ガイドと異なる角度で傾斜した下流側ガイドと、前記上流側ガイドと前記下流側ガイドとが交わる屈曲部とから構成された本体ガイドと、
（ｂ）前記屈曲部の近傍に設けられた、前記本体ガイドに対して移動可能に設けられた規制手段と、
（ｃ）本体当接部と、
（ｄ）枠体と、
前記枠体から突出した、前記本体ガイドにガイドされる被ガイド部であって、前記カートリッジを前記電子写真画像形成装置の装置本体に装着する途中で、前記規制手段に当接して前記装着方向において下流側への移動が規制される被ガイド部と、
前記枠体に対して移動可能に設けられた移動部材であって、前記規制手段に前記被ガイド部が当接した状態で、前記被ガイド部を中心に、前記カートリッジの前記装着方向上流側を下方に回転させると、前記移動部材が前記本体当接部に当接して移動することで前記規制手段に作用して、前記規制手段を、前記カートリッジが前記装着方向において下流側へ移動するのを許容する許容位置に移動させる前記移動部材と、
を有する前記カートリッジと、
（ｅ）前記カートリッジを取り外し可能に装着する前記装着部と、
（ｆ）前記記録媒体を搬送する搬送手段と、
を有することを特徴とする電子写真画像形成装置。
【請求項２】
前記移動部材は、回転中心に対して回転可能に設けられて、前記本体当接部に当接する被当接部と、前記規制手段に作用する作用部と、を有することを特徴とする請求項１に記載の電子写真画像形成装置。
【請求項３】
前記電子写真画像形成装置は、前記カートリッジを前記装着部まで案内する第二本体ガイドを有し、前記カートリッジは前記第二本体ガイドにガイドされる第二被ガイド部を有することを特徴とする請求項１または２に記載の電子写真画像形成装置。
【請求項４】
前記電子写真画像形成装置は、前記カートリッジを前記装着部まで案内する第二本体ガイドを有し、前記移動部材は、前記第二本体ガイドにガイドされることを特徴とする請求項１または２に記載の電子写真画像形成装置。
【請求項５】
前記第二本体ガイドは、屈曲した第二屈曲部を有し、前記本体当接部は前記第二屈曲部の近傍に設けられていることを特徴とする請求項３または４に記載の電子写真画像形成装置。
【請求項６】
前記移動部材は、前記本体当接部に当接して回転し前記第二本体ガイドに当接した後に前記規制手段に作用することを特徴とする請求項３乃至５のいずれか１項に記載の電子写真画像形成装置。
【請求項７】
前記規制手段は、前記本体ガイドに対して移動可能に設けられた、前記被ガイド部が当接する被突き当て部材と、前記被突き当て部材を移動させる解除部材であって、前記移動部材が当接することによって移動し、前記被突き当て部材を前記許容位置に移動させる解除部材と、を有することを特徴とする請求項１乃至６のいずれか１項に記載の電子写真画像形成装置。
【請求項８】
前記被突き当て部材は、前記被ガイド部が当接する際は、前記本体ガイドに突出して、前記被ガイド部が前記装着方向の下流側へ移動することを規制することを特徴とする請求項７に記載の電子写真画像形成装置。
【請求項９】
前記解除部材は、前記カートリッジを前記装着部より取り外す際にも、前記移動部材が当接することで移動し、前記被突き当て部材を前記許容位置に移動させることを特徴とする請求項７または８に記載の電子写真画像形成装置。
【請求項１０】
前記規制手段は、前記解除部材と係合したアーム部材であって、前記カートリッジを前記装着部より取り外す際に、前記移動部材が当接することで移動し、前記被突き当て部材を前記許容位置に移動させるように、前記解除部材を移動させるアーム部材を有することを特徴とする請求項７乃至９のいずれか１項に記載の電子写真画像形成装置。
【手続補正２】
【補正対象書類名】明細書
【補正対象項目名】発明の名称
【補正方法】変更
【補正の内容】
【発明の名称】電子写真画像形成装置
【手続補正３】
【補正対象書類名】明細書
【補正対象項目名】０００１
【補正方法】変更
【補正の内容】
【０００１】
本発明は、記録媒体に画像を形成するための電子写真画像形成装置に関するものである。
【手続補正４】
【補正対象書類名】明細書
【補正対象項目名】０００５
【補正方法】変更
【補正の内容】
【０００５】
本発明の目的は、電子写真画像形成装置本体の小型化を実現し、更に、カートリッジを電子写真画像形成装置本体に着脱する際の更に良好な操作性を実現した電子写真画像形成装置を提供することである。
【手続補正５】
【補正対象書類名】明細書
【補正対象項目名】０００６
【補正方法】変更
【補正の内容】
【０００６】
上記目的を達成するための代表的な本発明は、記録媒体に画像を形成する電子写真画像形成装置であって、（ａ）カートリッジを画像形成位置である装着部まで案内する、前記カートリッジを前記電子写真画像形成装置の装置本体に装着する装着方向において前記装置本体の上方から下方に向って傾斜した本体ガイドであって、前記装着方向において上流側に設けられた上流側ガイドと、前記装着方向において下流側に設けられた、前記上流側ガイドと異なる角度で傾斜した下流側ガイドと、前記上流側ガイドと前記下流側ガイドとが交わる屈曲部とから構成された本体ガイドと、（ｂ）前記屈曲部の近傍に設けられた、前記本体ガイドに対して移動可能に設けられた規制手段と、（ｃ）本体当接部と、（ｄ）枠体と、前記枠体から突出した、前記本体ガイドにガイドされる被ガイド部であって、前記カートリッジを前記電子写真画像形成装置の装置本体に装着する途中で、前記規制手段に当接して前記装着方向において下流側への移動が規制される被ガイド部と、前記枠体に対して移動可能に設けられた移動部材であって、前記規制手段に前記被ガイド部が当接した状態で、前記被ガイド部を中心に、前記カートリッジの前記装着方向上流側を下方に回転させると、前記移動部材が前記本体当接部に当接して移動することで前記規制手段に作用して、前記規制手段を、前記カートリッジが前記装着方向において下流側へ移動するのを許容する許容位置に移動させる前記移動部材と、を有する前記カートリッジと、（ｅ）前記カートリッジを取り外し可能に装着する前記装着部と、（ｆ）前記記録媒体を搬送する搬送手段と、を有することを特徴とする電子写真画像形成装置である。
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】変更
【補正の内容】
【０００８】
本体ガイドが傾斜角度の異なる上流側ガイドと下流側ガイドを有することで、装置本体のデットスペースが小さくなり電子写真画像形成装置本体の小型化を図ることができる。更に、カートリッジを電子写真画像形成装置本体に装着する際に、規制手段によってカートリッジの移動が途中で規制される。それによって、カートリッジが装着部に装着されていないことにユーザーが気づき、カートリッジに作用して装着部に確実に装着させることができる。